【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
対向する主要な第１の面および第２の面を有する基板のための垂直接合システムであって、
前記接合システムは、前記基板の両側部に沿って延びる雄接合部（Ｊｍ）および雌接合部（Ｊｆ）を備え、
前記雄接合部及び雌接合部は、両者の係合時においていくつかの空間または隙間が係合した前記接合部間に形成されるように、非対称にであり、
前記雄接合部（Ｊｍ）は、前記第１の主要面から略垂直方向において前記第２の主要面へ向かって延びる雄突起（Ｐｍ）と、前記雄突起（Ｐｍ）内に形成された雄凹部（Ｒｍ）とを含み、
前記雌接合部（Ｊｆ）は、前記第２の主要面から略垂直方向において前記第１の主要面へ向かって延びる雌突起（Ｐｆ）と、前記雌突内に形成された雌凹部（Ｒｆ）と、を含み、
前記雄突起（Ｐｍ）は、前記雄接合部の外側である、前記雄凹部（Ｒｍ）から離れた側に、横方向に延びる面（Ｃｍ１）を有し、
前記雄凹部（Ｒｍ）は、前記雄接合部の内側である、前記雄突起（Ｐｍ）から離れた側に、横方向に延びる面（Ｃｍ２）を有し、
前記雌突起（Ｐｆ）は、前記雌接合部の外側である、前記雌凹部（Ｒｆ）から離れた側に、横方向に延びる面（Ｃｆ２）を有し、
前記雌凹部（Ｒｆ）は、前記雌接合部の内側である、前記雌突起（Ｐｆ）から離れた側に、横方向に延びる面（Ｃｆ１）を有し、
横方向に間隔を空けて配置された前記２つの横方向に延びる面（Ｃｍ１，Ｃｍ２，Ｃｆ１，Ｃｆ２）は、１つの基板の前記雄接合部（Ｊｍ）が第２の基板の前記雌接合部（Ｊｆ）と係合できるように構成され、前記雄接合部の前記２つの横方向に延びる面（Ｃｍ１，Ｃｍ２）は、前記雌接合部の前記２つの横方向に延びる面（Ｃｆ１，Ｃｆ２）に相対して配置され、よって、各接合部の最内および最外側部上に第１の係合面（１８）および第２の係合面（２０）をそれぞれ形成し、各係合面は前記係合方向に対して平行に配置され、各係合面が関連付けられた前記横方向に延びる面は、前記係合面の両側部から相互に横方向に延び、前記雌接合部の前記横方向に延びる面（Ｃｆ１，Ｃｆ２）は、前記雄接合部の前記横方向に延びる面（Ｃｍ１，Ｃｍ２）の上に突出し、
類似の接合システムを持った２つ以上基板が、前記主要面に対して垂直な係合方向において付加された力に応じて、相互に係合することができ、かつ、第１の基板を前記係合方向と反対方向に持ち上げて、隣接する係合基板の前記第１の基板の両側部に沿った回転を促進させて、前記係合基板を前記第１の基板から下降した面内に配置した後、前記係合基板の前記第２の接合部に対して前記係合方向の力を付加することにより、係合解除が行われる、垂直接合システム。
【請求項２】
前記雄接合部および雌接合部は、前記隣接する係合基板が係合解除することなく前記第１の基板から下方に７°〜１０°まで回転できるようにさらに構成される、請求項１に記載の垂直接合システム。
【請求項３】
前記雄接合部および雌接合部は、隣接する係合基板が前記第１の基板に対して傾斜した面において３°まで回転できるように構成される、請求項１または２に記載の垂直接合システム。
【請求項４】
前記係合面のうち少なくとも１つと関連付けられた前記横方向に延びる面のうち少なくとも１つは、外形が連続的凸曲面状である、請求項１〜３のいずれか１つに記載の垂直接合システム。
【請求項５】
前記雄接合部および雌接合部はそれぞれ、横方向に間隔を空けて配置された湾曲面を２つ備え、前記２つの湾曲面は、１つの基板の前記雄接合部が第２の基板の前記雌接合部と係合できるように構成され、前記雄接合部の前記２つの湾曲面（ｌｍ１、ｌｍ２）は、各接合の最内側部および最外側部上の前記雌接合部の前記２つの湾曲面（ｌｆ１、ｌｆ２）と係合して、第１の係合面（１８）および第２の係合面（２０）をそれぞれ形成し、前記第１の係合面および第２の係合面はそれぞれ、前記係合方向に対して平行な方向における前記係合した接合部の分離を独立的に抑制し、各係合面と関連付けられた前記湾曲面は、前記係合面の両側部上に配置され、
前記雄接合部の前記横方向に延びる面（Ｃｍ１，Ｃｍ２）は、前記雄接合部の各湾曲面（ｌｍ１、ｌｍ２）の一部を形成し、前記雌接合部の前記横方向に延びる面（Ｃｆ１，Ｃｆ２）は、前記雌接合部の各湾曲面（ｌｆ１、ｌｆ２）の一部を形成する、請求項１〜４のいずれか１つに記載の垂直接合システム。
【請求項６】
前記雄接合部（Ｊｍ）は、雌凹部（Ｒｍ）から最離隔位置にある雄突起（Ｐｍ）の側部上に形成された第１の雄係合面（ＭＬ１）と、雄突起（Ｐｍ）から最離隔位置にある雌凹部（Ｒｍ）の側部上に形成された第２の雄係合面（ＭＬ２）と、前記雄突起（Ｐｍ）および雄凹部（Ｒｍ）に共通する面である第３の雄係合面（ＭＬ３）と、を有し、
前記雌接合部（Ｊｆ）は、雄突起（Ｐｆ）から最離隔位置にある雌凹部（Ｒｆ）の側部上に形成された第１の雌係合面（ＦＬ１）と、雌凹部（Ｒｆ）から最離隔位置にある雄突起（Ｐｆ）の側部上に形成された第２の雌係合面（ＦＬ２）と、前記雌突起（Ｐｆ）および雌凹部（Ｒｆ）に共通する面である第３の雌係合面（ＦＬ３）と、を有し、
前記係合面は、２つの基板の雄および雌接合部が係合した場合、前記第１の雄および第１の雌係合面（ＭＬ１，ＦＬ１）が係合して第１の係合面（１８）を形成し、前記第２の雄および第２の雌係合面（ＭＬ２，ＦＬ２）は係合して第２の係合面（２０）を形成し、前記第３の雄および第３の雌係合面（ＭＬ３，ＦＬ３）は係合して前記第１の係合面（１８）と第２の係合面（２０）との間に配置された第３の係合面（７４）を形成して、前記係合方向に対して平行な方向における前記係合した接合部の分離を抑制するよう構成され、
前記第１の雄係合面（ＭＬ１）は、横方向に延びる面（Ｃｍ１）を含み、前記第２の雄係合面（ＭＬ２）は、横方向に延びる面（Ｃｍ２）を含み、前記第１の雌係合面（ＦＬ１）は、横方向に延びる面（Ｃｆ１）を含み、前記第２の雌係合面（ＦＬ２）は、横方向に延びる面（Ｃｆ２）を含む、請求項１〜５のいずれか１つに記載の垂直接合システム。
【請求項７】
前記雄接合部および雌接合部は、相互係合した際に３つの係合面を生成するように構成され、各係合面は、前記係合方向に対して平行に配置されて、前記係合方向と反対方向において係合接合部の分離を抑制する、請求項１〜５のいずれか１つに記載の垂直接合システム。
【請求項８】
前記基板は、４つの側部を有する平面状の矩形または正方形の基板の構成であり、
前記雄接合部は、２つの隣接側部に向かって延び、
前記雌接合部は、前記残りの２つの隣接側部に向かって延びる、請求項１〜７のいずれか１つに記載の垂直接合システム。
【請求項９】
半浮動式面被覆システムであって、
請求項１〜８のいずれか１つに記載の垂直接合システムをそれぞれ備える複数の基板と、
前記第１の主要面へ接合された多量の再接着可能な接着剤と、
前記再接着可能な接着剤を被覆する１つ以上の解放ストリップと、を含む、面被覆システム。
【請求項１０】
複数の基板を含む面被覆システムであって、
各基板は、対向する第１の主要面および第２の主要面と、請求項１〜８のいずれか１つに記載の垂直接合システムと、を備え、
前記第１の主要面は、前記システムによって被覆されるべき下側支持部に対向するように配置され、
前記基板の片側には、前記雄接合部が設けられ、前記基板の反対側には、前記雌接合部が設けられる、面被覆システム。
【請求項１１】
前記第１の基板に対して取り外し可能な状態で取り付け可能であるジャッキを少なくとも１つ含み、
前記ジャッキは、前記第１の基板中に形成された穴を通過して前記下側支持部を支持するように配置されたシャフトを含み、
前記ジャッキは、前記シャフトを前記穴を通じて延ばすことで前記第１の基板を前記下側支持部から持ち上げるように動作可能である、請求項１０に記載の面被覆システム。